(57)【要約】【課題】金融取引に関する複数種の情報を各々参照するための顧客の負担を軽減する。【解決手段】顧客からの依頼により輸入信用状を発行（１００）した特定金融機関は信用状番号を付加した発行結果通知情報を生成する（１０２）。発行結果通知情報は顧客の指示によりクライアントＰＣで受信・記憶（１０６）される。前記輸入信用状に付帯した手形の決済（１０８）を行うと、特定金融機関は信用状番号を付加した手形決済情報を生成する（１１０）。手形決済情報も顧客の指示によりクライントＰＣで受信・記憶（１１４）される。顧客が発行結果通知情報の表示を指示すると、該指示に応じて発行結果通知情報の内容が表示される（１１６）と共に、信用状番号に基づき対応する手形決済情報が検索され（１１８）、情報があれば（１２０が肯定）「手形」と表記したボックスを表示させ（１２２）、顧客の指示が有れば対応する手形決済情報の内容を表示させる（１２４）。【選択図】　　　　　図２
2004021488.tif 000002
【特許請求の範囲】
【請求項１】
特定金融機関のホスト・コンピュータと通信回線を介して接続可能とされたクライアント・コンピュータで所定の処理を実行するためのプログラムであって、
前記所定の処理は、
顧客からの依頼に基づき特定金融機関で輸入信用状が発行されると共に、該輸入信用状に識別情報が付加されることで、前記輸入信用状の発行結果を表しかつ前記識別情報が付加された発行結果通知情報が前記ホスト・コンピュータから送信された場合に、前記発行結果通知情報を受信して前記クライアント・コンピュータの記憶手段に記憶させる第１ステップ、
前記特定金融機関で発行されて前記輸入信用状に付帯された手形が決済されることで、手形の決済結果を表しかつ対応する輸入信用状の識別情報が付加された手形決済情報が前記ホスト・コンピュータから送信された場合に、前記手形決済情報を受信して前記記憶手段に記憶させる第２ステップ、
前記記憶手段に記憶されている特定の発行結果通知情報の表示が顧客から指示された場合に、前記特定の発行結果通知情報の内容を前記クライアント・コンピュータの表示手段に表示させると共に、前記特定の発行結果通知情報と同一の識別情報が付加されている手形決済情報を前記記憶手段から検索し、該当する手形決済情報が存在していた場合に通知する第３ステップ、
及び、前記第３ステップの通知に基づき前記手形決済情報の表示が顧客から指示された場合に、前記手形決済情報の内容を前記表示手段に表示させる第４ステップ
を含むことを特徴とするプログラム。
【請求項２】
特定金融機関のホスト・コンピュータと通信回線を介して接続可能とされたクライアント・コンピュータで所定の処理を実行するためのプログラムであって、
前記所定の処理は、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、
前記特定金融機関で前記為替予約が履行されることで、前記為替予約の履行結果を表しかつ対応する為替予約の識別情報が付加された為替予約履行情報が前記ホスト・コンピュータから送信された場合に、前記為替予約履行情報を受信して前記記憶手段に記憶させる第２ステップ、
前記記憶手段に記憶されている特定の為替予約履行情報の表示が顧客から指示された場合に、前記特定の為替予約履行情報の内容を前記クライアント・コンピュータの表示手段に表示させると共に、前記特定の為替予約履行情報と同一の識別情報が付加されている為替予約情報を前記記憶手段から検索し、該当する為替予約情報が存在していた場合に通知する第３ステップ、
及び、前記第３ステップの通知に基づき前記為替予約情報の表示が顧客から指示された場合に、前記為替予約情報の内容を前記表示手段に表示させる第４ステップ
を含むことを特徴とするプログラム。
【請求項３】
特定金融機関のホスト・コンピュータと通信回線を介して接続可能とされたクライアント・コンピュータで所定の処理を実行するためのプログラムであって、
前記所定の処理は、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、
特定金融機関に仕向送金を依頼する仕向送金指示情報を入力するための入力画面を前記クライアント・コンピュータの表示手段に表示している状態で、前記仕向送金の決済に適用すべき為替予約の識別情報が顧客により入力された場合に、前記入力された識別情報が付加されている為替予約情報を前記記憶手段から検索し、該当する為替予約情報が存在していた場合に通知する第２ステップ、
及び、前記第２ステップの通知に基づき前記為替予約情報の表示が顧客から指示された場合に、前記為替予約情報の内容を前記表示手段に表示させる第３ステップ
を含むことを特徴とするプログラム。
【請求項４】
特定金融機関のホスト・コンピュータと通信回線を介して接続可能とされたクライアント・コンピュータで所定の処理を実行するためのプログラムであって、
前記所定の処理は、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、
前記顧客宛に到着した被仕向送金の入金処理が、顧客により指定された識別情報が付加されている特定の為替予約を適用して特定金融機関により行われることで、前記被仕向送金入金処理の明細を表しかつ前記識別情報が付加された被仕向送金明細情報が前記ホスト・コンピュータから送信された場合に、前記被仕向送金明細情報を受信して前記記憶手段に記憶させる第２ステップ、
前記記憶手段に記憶されている特定の被仕向送金明細情報の表示が顧客から指示された場合に、前記特定の被仕向送金明細情報の内容を前記クライアント・コンピュータの表示手段に表示させると共に、前記特定の被仕向送金明細情報と同一の識別情報が付加されている為替予約情報を前記記憶手段から検索し、該当する為替予約情報が存在していた場合に通知する第３ステップ、
及び、前記第３ステップの通知に基づき前記為替予約情報の表示が顧客から指示された場合に、前記為替予約情報の内容を前記表示手段に表示させる第４ステップ
を含むことを特徴とするプログラム。
【請求項５】
金融機関のホスト・コンピュータと通信回線を介して接続可能とされたクライアント・コンピュータによって実現される金融取引支援装置であって、
顧客からの依頼に基づき特定金融機関で輸入信用状が発行されると共に、該輸入信用状に識別情報が付加されることで、前記輸入信用状の発行結果を表しかつ前記識別情報が付加された発行結果通知情報が前記ホスト・コンピュータから送信された場合に、前記発行結果通知情報を受信して前記クライアント・コンピュータの記憶手段に記憶させる第１受信手段と、
前記特定金融機関で発行されて前記輸入信用状に付帯された手形が決済されることで、手形の決済結果を表しかつ対応する輸入信用状の識別情報が付加された手形決済情報が前記ホスト・コンピュータから送信された場合に、前記手形決済情報を受信して前記記憶手段に記憶させる第２受信手段と、
前記記憶手段に記憶されている特定の発行結果通知情報の表示が顧客から指示された場合に、前記特定の発行結果通知情報の内容を前記クライアント・コンピュータの表示手段に表示させると共に、前記特定の発行結果通知情報と同一の識別情報が付加されている手形決済情報を前記記憶手段から検索し、該当する手形決済情報が存在していた場合に通知し、該通知に基づき前記手形決済情報の表示が顧客から指示された場合に、前記手形決済情報の内容を前記表示手段に表示させる第１表示制御手段と、
を備えたことを特徴とする金融取引支援装置。
【請求項６】
金融機関のホスト・コンピュータと通信回線を介して接続可能とされたクライアント・コンピュータによって実現される金融取引支援装置であって、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、
前記特定金融機関で前記為替予約が履行されることで、前記為替予約の履行結果を表しかつ対応する為替予約の識別情報が付加された為替予約履行情報が前記ホスト・コンピュータから送信された場合に、前記為替予約履行情報を受信して前記記憶手段に記憶させる第４受信手段と、
前記記憶手段に記憶されている特定の為替予約履行情報の表示が顧客から指示された場合に、前記特定の為替予約履行情報の内容を前記クライアント・コンピュータの表示手段に表示させると共に、前記特定の為替予約履行情報と同一の識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第２表示制御手段と、
を備えたことを特徴とする金融取引支援装置。
【請求項７】
金融機関のホスト・コンピュータと通信回線を介して接続可能とされたクライアント・コンピュータによって実現される金融取引支援装置であって、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、
特定金融機関に仕向送金を依頼する仕向送金指示情報を入力するための入力画面を前記クライアント・コンピュータの表示手段に表示している状態で、前記仕向送金の決済に適用すべき為替予約の識別情報が顧客により入力された場合に、前記入力された識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第３表示制御手段と、
を備えたことを特徴とする金融取引支援装置。
【請求項８】
金融機関のホスト・コンピュータと通信回線を介して接続可能とされたクライアント・コンピュータによって実現される金融取引支援装置であって、
顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、
前記顧客宛に到着した被仕向送金の入金処理が、顧客により指定された識別情報が付加されている特定の為替予約を適用して特定金融機関により行われることで、前記被仕向送金入金処理の明細を表しかつ前記識別情報が付加された被仕向送金明細情報が前記ホスト・コンピュータから送信された場合に、前記被仕向送金明細情報を受信して前記記憶手段に記憶させる第５受信手段と、
前記記憶手段に記憶されている特定の被仕向送金明細情報の表示が顧客から指示された場合に、前記特定の被仕向送金明細情報の内容を前記クライアント・コンピュータの表示手段に表示させると共に、前記特定の被仕向送金明細情報と同一の識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第４表示制御手段と、
を備えたことを特徴とする金融取引支援装置。
【発明の詳細な説明】
【０００１】
【発明の属する技術分野】
本発明はプログラム及び金融取引支援装置に係り、特に、顧客が金融機関に対して所定の金融取引をオンラインで依頼する際に使用される金融取引支援装置、及び、金融機関のホスト・コンピュータと通信回線を介して接続可能とされたクライアント・コンピュータを前記金融取引支援装置として機能させるためのプログラムに関する。
【０００２】
【従来の技術】
近年、家庭や企業に設置されたコンピュータ（又は専用端末）を操作することで、銀行等の金融機関が提供するサービスを電話回線等の通信回線を介してオンラインで利用するエレクトロニック・バンキング（以下、ＥＢという）が普及してきている（なお、企業向けのＥＢを特にファーム・バンキングともいう）。このＥＢにより、金融機関の顧客は、金融機関の支店等に出向くことなく、預金の残高照会、入出金照会、口座振り込み、振り替え等の各種サービスを利用することができる。
【０００３】
また、外国為替の取引に関わっている顧客がＥＢを利用すれば、例えば仕向送金、被仕向送金の入金処理、輸入信用状の発行等の依頼をオンラインで行うことも可能となり、更には、金融機関に輸入信用状の発行を依頼した場合に、輸入信用状の発行結果を表す発行結果通知情報を受信したり、金融機関で発行された輸入信用状に付帯された手形が決済された場合に、手形の決済結果を表す手形決済情報を受信したり、金融機関との間で為替予約を締結した場合に、締結した為替予約の内容を表す為替予約情報を受信したり、金融機関との間で締結した為替予約が金融機関で履行された場合に、履行結果を表す為替予約履行情報を受信したり、金融機関に被仕向送金の入金処理を依頼した場合、入金処理の明細を表す被仕向送金明細情報を受信する等、ＥＢを利用して様々な情報を受信することも可能となる。
【０００４】
【発明が解決しようとする課題】
しかしながら、ＥＢにおいて、互いに関連する情報が顧客の手元に揃う迄に時間がかかる場合がある。例えば手形を付帯した輸入信用状の発行を顧客が金融機関へ依頼すると、輸入信用状の発行が完了すると金融機関から発行結果通知情報が送信されるが、前記輸入信用状に付帯された手形に関する手形決済情報が金融機関から送信されるのは前記手形の決済が完了した後であり、顧客が発行結果通知情報を受信するタイミングと該発行結果通知情報に関連する手形決済情報を受信するタイミングには時間差がある。
【０００５】
また、例えば外貨預金や仕向送金、被仕向送金等の外国為替取引を行う予定があるために、顧客と金融機関との間で為替予約を締結すると金融機関から為替予約情報が送信されるが、為替予約の締結と該為替予約を用いた外国為替取引の実行には時間差があるため、顧客が為替予約情報を受信するタイミングと、前記外国為替取引に係わる情報を受信又は入力する（例えば為替予約履行情報又は被仕向送金明細情報を受信したり、仕向送金を依頼するための仕向送金指示情報を入力する等の）タイミングには時間差がある。
【０００６】
上記の発行結果通知情報と手形決済情報、為替予約情報と為替予約履行情報、為替予約情報と仕向送金指示情報、為替予約情報と被仕向送金明細情報は、何れも互いに関連しており、両者を対照させて内容に齟齬がないかの確認が必要な情報であるが、何れも、一方の情報が顧客のコンピュータに記憶されてから、時間を空けて他方の情報が顧客に受信又は入力されるので、両者の対照及び内容確認のためには、受信した情報又は入力される情報と関連する情報をコンピュータに既に記憶されている情報の中から顧客自身が探し出す必要があり、操作が非常に煩雑であると共に、情報の対照及び内容確認のために顧客に多大な負担がかかる、という問題もあった。
【０００７】
本発明は上記事実を考慮して成されたもので、金融取引に関する複数種の情報を各々参照するための顧客の負担を軽減できるプログラム及び金融取引支援装置を得ることが目的である。
【０００８】
【課題を解決するための手段】
上記目的を達成するために請求項１記載の発明に係るプログラムは、特定金融機関のホスト・コンピュータと通信回線を介して接続可能とされたクライアント・コンピュータで所定の処理を実行するためのプログラムであって、前記所定の処理は、顧客からの依頼に基づき特定金融機関で輸入信用状が発行されると共に、該輸入信用状に識別情報が付加されることで、前記輸入信用状の発行結果を表しかつ前記識別情報が付加された発行結果通知情報が前記ホスト・コンピュータから送信された場合に、前記発行結果通知情報を受信して前記クライアント・コンピュータの記憶手段に記憶させる第１ステップ、前記特定金融機関で発行されて前記輸入信用状に付帯された手形が決済されることで、手形の決済結果を表しかつ対応する輸入信用状の識別情報が付加された手形決済情報が前記ホスト・コンピュータから送信された場合に、前記手形決済情報を受信して前記記憶手段に記憶させる第２ステップ、前記記憶手段に記憶されている特定の発行結果通知情報の表示が顧客から指示された場合に、前記特定の発行結果通知情報の内容を前記クライアント・コンピュータの表示手段に表示させると共に、前記特定の発行結果通知情報と同一の識別情報が付加されている手形決済情報を前記記憶手段から検索し、該当する手形決済情報が存在していた場合に通知する第３ステップ、及び、前記第３ステップの通知に基づき前記手形決済情報の表示が顧客から指示された場合に、前記手形決済情報の内容を前記表示手段に表示させる第４ステップを含むことを特徴としている。
【０００９】
請求項１記載の発明に係るプログラムは、金融機関のホスト・コンピュータと通信回線（例えば公衆電話回線等）を介して接続可能とされたクライアント・コンピュータ（すなわちＥＢに利用可能なクライアント・コンピュータ）によって実行され、クライアント・コンピュータが該プログラムを実行することで所定の処理が行われることになる。
【００１０】
請求項１記載の発明では、顧客からの依頼に基づき特定金融機関で輸入信用状が発行されると共に、該輸入信用状に識別情報が付加されることで、輸入信用状の発行結果を表しかつ識別情報が付加された発行結果通知情報がホスト・コンピュータから送信されると、該発行結果通知情報が受信されて記憶手段に記憶される。また、特定金融機関で発行されて輸入信用状に付帯された手形が決済されることで、手形の決済結果を表しかつ対応する輸入信用状の識別情報が付加された手形決済情報がホスト・コンピュータから送信されると、該手形決済情報が受信されて記憶手段に記憶される。
【００１１】
また、記憶手段に記憶されている特定の発行結果通知情報の表示が顧客から指示された場合に、特定の発行結果通知情報の内容が表示手段に表示されると共に、特定の発行結果通知情報と同一の識別情報が付加されている手形決済情報が記憶手段から検索され、該当する手形決済情報が存在していた場合に通知される。そして、前記通知に基づき手形決済情報の表示が顧客から指示された場合に、手形決済情報の内容が表示手段に表示される。これにより、金融取引に関する複数種の情報、すなわち互いに関連する発行結果通知情報と手形決済情報を各々参照するための顧客の負担を軽減することができ、顧客が両者の比較や照合等を容易に行うことができる。
【００１２】
請求項２記載の発明に係るプログラムは、特定金融機関のホスト・コンピュータと通信回線を介して接続可能とされたクライアント・コンピュータで所定の処理を実行するためのプログラムであって、前記所定の処理は、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、前記特定金融機関で前記為替予約が履行されることで、前記為替予約の履行結果を表しかつ対応する為替予約の識別情報が付加された為替予約履行情報が前記ホスト・コンピュータから送信された場合に、前記為替予約履行情報を受信して前記記憶手段に記憶させる第２ステップ、前記記憶手段に記憶されている特定の為替予約履行情報の表示が顧客から指示された場合に、前記特定の為替予約履行情報の内容を前記クライアント・コンピュータの表示手段に表示させると共に、前記特定の為替予約履行情報と同一の識別情報が付加されている為替予約情報を前記記憶手段から検索し、該当する為替予約情報が存在していた場合に通知する第３ステップ、及び、前記第３ステップの通知に基づき前記為替予約情報の表示が顧客から指示された場合に、前記為替予約情報の内容を前記表示手段に表示させる第４ステップを含むことを特徴としている。
【００１３】
請求項２記載の発明では、顧客と特定金融機関の間で為替予約が締結されると共に、該為替予約に対して識別情報が付加されることで、為替予約の内容を表しかつ識別情報が付加された為替予約情報がホスト・コンピュータから送信されると、該為替予約情報が受信されて記憶手段に記憶される。また、特定金融機関で為替予約が履行されることで、為替予約の履行結果を表しかつ対応する為替予約の識別情報が付加された為替予約履行情報がホスト・コンピュータから送信されると、該為替予約履行情報が受信されて記憶手段に記憶される。
【００１４】
また、記憶手段に記憶されている特定の為替予約履行情報の表示が顧客から指示されると、特定の為替予約履行情報の内容が表示手段に表示されると共に、特定の為替予約履行情報と同一の識別情報が付加されている為替予約情報が記憶手段から検索され、該当する為替予約情報が存在していた場合に通知される。そして、前記通知に基づき為替予約情報の表示が顧客から指示されると、為替予約情報の内容が表示手段に表示される。これにより、金融取引に関する複数種の情報、すなわち互いに関連する為替予約履行情報と為替予約情報を各々参照するための顧客の負担を軽減することができ、顧客が両者の比較や照合等を容易に行うことができる。
【００１５】
請求項３記載の発明に係るプログラムは、特定金融機関のホスト・コンピュータと通信回線を介して接続可能とされたクライアント・コンピュータで所定の処理を実行するためのプログラムであって、前記所定の処理は、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、特定金融機関に仕向送金を依頼する仕向送金指示情報を入力するための入力画面を前記クライアント・コンピュータの表示手段に表示している状態で、前記仕向送金の決済に適用すべき為替予約の識別情報が顧客により入力された場合に、前記入力された識別情報が付加されている為替予約情報を前記記憶手段から検索し、該当する為替予約情報が存在していた場合に通知する第２ステップ、及び、前記第２ステップの通知に基づき前記為替予約情報の表示が顧客から指示された場合に、前記為替予約情報の内容を前記表示手段に表示させる第３ステップを含むことを特徴としている。
【００１６】
請求項３記載の発明では、顧客と特定金融機関の間で為替予約が締結されると共に、該為替予約に対して識別情報が付加されることで、為替予約の内容を表しかつ識別情報が付加された為替予約情報がホスト・コンピュータから送信されると、該為替予約情報が受信されて記憶手段に記憶される。また、特定金融機関に仕向送金を依頼する仕向送金指示情報を入力するための入力画面を表示手段に表示している状態で、仕向送金の決済に適用すべき為替予約の識別情報が顧客により入力されると、入力された識別情報が付加されている為替予約情報が記憶手段から検索され、該当する為替予約情報が存在していた場合（例えば当該仕向送金が外貨建てで行われると共に、顧客との間の決済が締結した為替予約に従い円建てで行われる等の場合）に通知される。
【００１７】
そして、前記通知に基づき為替予約情報の表示が顧客から指示されると、為替予約情報の内容が表示手段に表示される。これにより、金融取引に関する複数種の情報、すなわち顧客によって入力される仕向送金指示情報と該仕向送金指示情報に関連する為替予約情報を各々参照するための顧客の負担を軽減することができ、顧客が為替予約情報を参照しながら仕向送金指示情報を入力したり、顧客が両者の比較、照合等を行うことが容易になる。
【００１８】
請求項４記載の発明に係るプログラムは、特定金融機関のホスト・コンピュータと通信回線を介して接続可能とされたクライアント・コンピュータで所定の処理を実行するためのプログラムであって、前記所定の処理は、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第１ステップ、前記顧客宛に到着した被仕向送金の入金処理が、顧客により指定された識別情報が付加されている特定の為替予約を適用して特定金融機関により行われることで、前記被仕向送金入金処理の明細を表しかつ前記識別情報が付加された被仕向送金明細情報が前記ホスト・コンピュータから送信された場合に、前記被仕向送金明細情報を受信して前記記憶手段に記憶させる第２ステップ、前記記憶手段に記憶されている特定の被仕向送金明細情報の表示が顧客から指示された場合に、前記特定の被仕向送金明細情報の内容を前記クライアント・コンピュータの表示手段に表示させると共に、前記特定の被仕向送金明細情報と同一の識別情報が付加されている為替予約情報を前記記憶手段から検索し、該当する為替予約情報が存在していた場合に通知する第３ステップ、及び、前記第３ステップの通知に基づき前記為替予約情報の表示が顧客から指示された場合に、前記為替予約情報の内容を前記表示手段に表示させる第４ステップを含むことを特徴としている。
【００１９】
請求項４記載の発明では、顧客と特定金融機関の間で為替予約が締結されると共に、該為替予約に対して識別情報が付加されることで、為替予約の内容を表しかつ識別情報が付加された為替予約情報がホスト・コンピュータから送信されると、該為替予約情報が受信されて記憶手段に記憶される。また、顧客宛に到着した被仕向送金の入金処理が、顧客により指定された識別情報が付加されている特定の為替予約を適用して特定金融機関により行われることで、被仕向送金入金処理の明細を表しかつ識別情報が付加された被仕向送金明細情報がホスト・コンピュータから送信されると、該被仕向送金明細情報が受信されて記憶手段に記憶される。
【００２０】
また、記憶手段に記憶されている特定の被仕向送金明細情報の表示が顧客から指示されると、特定の被仕向送金明細情報の内容が表示手段に表示されると共に、特定の被仕向送金明細情報と同一の識別情報が付加されている為替予約情報が記憶手段から検索され、該当する為替予約情報が存在していた場合（例えば当該被仕向送金が外貨建てで到着し、顧客への入金が為替予約に従い円建てで行われる等の場合）に通知される。そして、前記通知に基づき為替予約情報の表示が顧客から指示された場合に、為替予約情報の内容が表示手段に表示される。これにより、金融取引に関する複数種の情報、すなわち互いに関連する被仕向送金明細情報と為替予約情報を各々参照するための顧客の負担を軽減することができ、顧客が両者の比較や照合等を容易に行うことができる。
【００２１】
請求項５記載の発明に係る金融取引支援装置は、金融機関のホスト・コンピュータと通信回線を介して接続可能とされたクライアント・コンピュータによって実現される金融取引支援装置であって、顧客からの依頼に基づき特定金融機関で輸入信用状が発行されると共に、該輸入信用状に識別情報が付加されることで、前記輸入信用状の発行結果を表しかつ前記識別情報が付加された発行結果通知情報が前記ホスト・コンピュータから送信された場合に、前記発行結果通知情報を受信して前記クライアント・コンピュータの記憶手段に記憶させる第１受信手段と、前記特定金融機関で発行されて前記輸入信用状に付帯された手形が決済されることで、手形の決済結果を表しかつ対応する輸入信用状の識別情報が付加された手形決済情報が前記ホスト・コンピュータから送信された場合に、前記手形決済情報を受信して前記記憶手段に記憶させる第２受信手段と、前記記憶手段に記憶されている特定の発行結果通知情報の表示が顧客から指示された場合に、前記特定の発行結果通知情報の内容を前記クライアント・コンピュータの表示手段に表示させると共に、前記特定の発行結果通知情報と同一の識別情報が付加されている手形決済情報を前記記憶手段から検索し、該当する手形決済情報が存在していた場合に通知し、該通知に基づき前記手形決済情報の表示が顧客から指示された場合に、前記手形決済情報の内容を前記表示手段に表示させる第１表示制御手段と、を備えたことを特徴としているので、請求項１記載の発明と同様に、金融取引に関する複数種の情報（互いに関連する発行結果通知情報と手形決済情報）を各々参照するための顧客の負担を軽減することができる。
【００２２】
請求項６記載の発明に係る金融取引支援装置は、金融機関のホスト・コンピュータと通信回線を介して接続可能とされたクライアント・コンピュータによって実現される金融取引支援装置であって、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、前記特定金融機関で前記為替予約が履行されることで、前記為替予約の履行結果を表しかつ対応する為替予約の識別情報が付加された為替予約履行情報が前記ホスト・コンピュータから送信された場合に、前記為替予約履行情報を受信して前記記憶手段に記憶させる第４受信手段と、前記記憶手段に記憶されている特定の為替予約履行情報の表示が顧客から指示された場合に、前記特定の為替予約履行情報の内容を前記クライアント・コンピュータの表示手段に表示させると共に、前記特定の為替予約履行情報と同一の識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第２表示制御手段と、を備えたことを特徴としているので、請求項２記載の発明と同様に、金融取引に関する複数種の情報（互いに関連する為替予約履行情報と為替予約情報）を各々参照するための顧客の負担を軽減することができる。
【００２３】
請求項７記載の発明に係る金融取引支援装置は、金融機関のホスト・コンピュータと通信回線を介して接続可能とされたクライアント・コンピュータによって実現される金融取引支援装置であって、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、特定金融機関に仕向送金を依頼する情報を入力するための入力画面を前記クライアント・コンピュータの表示手段に表示している状態で、前記仕向送金の決済に適用すべき為替予約の識別情報が顧客により入力された場合に、前記入力された識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第３表示制御手段と、を備えたことを特徴としているので、請求項３記載の発明と同様に、金融取引に関する複数種の情報（顧客によって入力される仕向送金指示情報と該仕向送金指示情報に関連する為替予約情報）を各々参照するための顧客の負担を軽減することができる。
【００２４】
請求項８記載の発明に係る金融取引支援装置は、金融機関のホスト・コンピュータと通信回線を介して接続可能とされたクライアント・コンピュータによって実現される金融取引支援装置であって、顧客と特定金融機関の間で為替予約が締結されると共に、該為替予約に対して識別情報が付加されることで、前記為替予約の内容を表しかつ前記識別情報が付加された為替予約情報が前記ホスト・コンピュータから送信された場合に、前記為替予約情報を受信して前記クライアント・コンピュータの記憶手段に記憶させる第３受信手段と、前記顧客宛に到着した被仕向送金の入金処理が、顧客により指定された識別情報が付加されている特定の為替予約を適用して特定金融機関により行われることで、前記被仕向送金入金処理の明細を表しかつ前記識別情報が付加された被仕向送金明細情報が前記ホスト・コンピュータから送信された場合に、前記被仕向送金明細情報を受信して前記記憶手段に記憶させる第５受信手段と、前記記憶手段に記憶されている特定の被仕向送金明細情報の表示が顧客から指示された場合に、前記特定の被仕向送金明細情報の内容を前記クライアント・コンピュータの表示手段に表示させると共に、前記特定の被仕向送金明細情報と同一の識別情報が付加されている為替予約情報を前記記憶手段から検索し、該当する為替予約情報が存在していた場合に通知し、該通知に基づき前記為替予約情報の表示が顧客から指示された場合に、前記為替予約情報の内容を前記表示手段に表示させる第４表示制御手段と、を備えたことを特徴としているので、請求項４記載の発明と同様に、金融取引に関する複数種の情報（互いに関連する被仕向送金明細情報と為替予約情報）を各々参照するための顧客の負担を軽減することができる。
【００２５】
【発明の実施の形態】
以下、図面を参照して本発明の実施形態の一例を詳細に説明する。図１には本実施形態に係るエレクトロニック・バンキング・システム（ＥＢシステム）１０が示されている。ＥＢシステム１０は、ＥＢシステム１０を利用する契約を特定金融機関と結んでいる各顧客（個人顧客でも法人顧客でもよい）が各々所持しているパーソナル・コンピュータ（クライアントＰＣ）１２と、特定金融機関の情報センタ等に設置され各顧客のクライアントＰＣ１２と公衆電話網２８を介して接続可能なホスト・コンピュータ３０と、特定金融機関内に構築されたコンピュータ・ネットワーク４６を含んで構成されている。
【００２６】
顧客が所有しているクライアントＰＣ１２は、ＣＰＵ１２Ａ、ＲＯＭ１２Ｂ、ＲＡＭ１２Ｃ、入出力ポート１２Ｄを備え、これらはアドレスバス、データバス、制御バス等のバス１２Ｅを介して互いに接続されている。入出力ポート１２Ｄには、各種の入出力機器として、ＣＲＴ又はＬＣＤから成るディスプレイ１４、ポインティング・デバイスとしてのマウス１６、キーボード１８、プリンタ１９、ハードディスク装置（ＨＤＤ）２０、ＣＤ−ＲＯＭからの情報の読み出しを行うＣＤ−ＲＯＭドライブ２２、通信制御装置（例えばモデム）２４が各々接続されている。通信制御装置２４は公衆電話網２８に接続されており、クライアントＰＣ１２は、ホスト・コンピュータ３０と公衆電話網２８を介して通信可能とされている。なお、ディスプレイ１４は本発明に係る表示手段に、ＨＤＤ２０は本発明に係る記憶手段に各々対応している。
【００２７】
またクライアントＰＣ１２には、ＥＢシステム１０を利用した各種処理をクライアントＰＣ１２のＣＰＵ１２Ａによって実行するためのクライアント用ＥＢプログラムがＨＤＤ２０にインストールされている。このクライアント用ＥＢプログラムは、本発明に係るプログラムに対応している。また、クライアントＰＣ１２は本発明のクライアント・コンピュータに対応しており、クライアント用ＥＢプログラムを実行するクライアントＰＣ１２は、請求項５に記載の金融取引支援装置として機能する。
【００２８】
クライアント用ＥＢプログラムをクライアントＰＣ１２にインストール（移入）するには幾つかの方法があるが、例えばクライアント用ＥＢプログラムをセットアッププログラムと共にＣＤ−ＲＯＭ２６に記録しておき、ＣＤ−ＲＯＭ２６をクライアントＰＣ１２のＣＤ−ＲＯＭドライブ２２にセットし、ＣＰＵ１２Ａに対して前記セットアッププログラムの実行を指示すれば、ＣＤ−ＲＯＭ２６からクライアント用ＥＢプログラムが順に読み出され、読み出されたクライアント用ＥＢプログラムがＨＤＤ２０に順に書き込まれることでクライアント用ＥＢプログラムのインストールが行われる。
【００２９】
また、クライアントＰＣ１２が企業等に設置されている場合、クライアントＰＣ１２を介してＥＢシステム１０を利用する権限を複数人の操作者（ユーザ）に与える利用形態が殆どである。このため、クライアントＰＣ１２を介してＥＢシステム１０を利用する権限を与えられている個々のユーザにはユーザＩＤ及びパスワードが各々付与されており、個々のユーザのユーザＩＤ及びパスワードは、クライアントＰＣ１２にクライアント用ＥＢプログラムがインストールされた後に、クライアントＰＣ１２のＨＤＤ２０に登録される。
【００３０】
また、上記の利用形態では、個々のユーザの役職や業務の都合上、ＥＢシステム１０が提供する各種機能のうち個々のユーザが利用権限を与えられている機能（例えば特定金融機関に送信ファイル（後述）を送信する権限等）は個々のユーザ毎に相違している。このため、クライアント用ＥＢプログラムがインストールされたクライアントＰＣ１２のＨＤＤ２０には、個々のユーザが利用権限を有する機能を表す権限情報もユーザＩＤ及びパスワードと対応付けて登録される。
【００３１】
また、特定金融機関のホスト・コンピュータ３０は汎用の大型コンピュータから成り、ＣＰＵ３０Ａ、ＲＯＭ３０Ｂ、ＲＡＭ３０Ｃ、入出力ポート３０Ｄを備え、これらはアドレスバス、データバス、制御バス等のバス３０Ｅを介して互いに接続されている。入出力ポート３０Ｄには、各種の入出力機器として、公衆電話網２８に接続された通信制御装置（例えばモデム）３２、ディスプレイ３４、マウス３６、キーボード３８、ＨＤＤ４０、ＣＤ−ＲＯＭからの情報の読み出しを行うＣＤ−ＲＯＭドライブ４２が各々接続されている。
【００３２】
ホスト・コンピュータ３０には、クライアントＰＣ１２がＥＢシステムの利用を可能とするためのホスト用ＥＢプログラムがＨＤＤ６８に予めインストールされている。ホスト・コンピュータ３０は本発明のホスト・コンピュータに対応している。なお、ホスト・コンピュータ３０へのホスト用ＥＢプログラムのインストールについても、例えばＣＤ−ＲＯＭ４４を用いて行うことができるが、これに代えて磁気テープ（ＭＴ）を用いてもよい。この場合、ＣＤ−ＲＯＭドライブ４２に代えて磁気テープ装置を設ければよい。
【００３３】
また、ホスト・コンピュータ３０の通信制御装置３２は特定金融機関内に構築されたコンピュータ・ネットワーク４６に接続されている。コンピュータ・ネットワーク４６は多数台のコンピュータ（ＰＣ、ワークステーション、大型コンピュータの何れでもよい）４８が通信回線５０を介して互いに接続されて構成されている。また、多数台のコンピュータ４８のうちの特定のコンピュータ４８には大容量のＨＤＤ５２が接続されており、ＨＤＤ５２の記憶領域には、特定金融機関の各顧客の金融取引に関する種々の情報を記憶するための金融取引情報受信ファイル５４が設けられている。
【００３４】
図１では、金融取引情報受信ファイル５４を単一のファイルとして示しているが、金融取引情報受信ファイル５４は、詳しくは複数の受信ファイルから構成されており、全国銀行協会が定めるフォーマットに従い、各受信ファイルには互いに異なる種類の情報が記憶されるようになっている。例えば外国為替関係の金融取引情報を格納するための受信ファイルとして４個の受信ファイルが設けられている。外国為替関係の４個の受信ファイルの名称、ファイルに格納される情報を次の表１に各々示す。
【００３５】
【表１】
2004021488.tif 000003
【００３６】
特定金融機関と顧客と間で交わされるＥＢシステム１０に関する契約は、個々の受信ファイルが一単位となっており、ＥＢシステム１０を利用する各顧客は、業務内容やその他の都合により、ＥＢシステム１０からの受信を希望する情報が格納される受信ファイルについてのみ、特定金融機関と契約（受信契約）を結んでいる。特定金融機関は、ＥＢシステム１０の利用について、個々の受信ファイルを単位として顧客との間で受信契約を結ぶと、該顧客に対し、受信契約を結んだ個々の受信ファイル毎に、受信ファイルがアクセスされた際の顧客認証のためのパスワード及びファイルアクセスキーを各々設定し、契約を結んだ顧客に通知する。また、設定したパスワード及びファイルアクセスキーは、ホスト・コンピュータ３０のＨＤＤ４０に記憶されている認証情報格納テーブル（図示省略）にも登録される。
【００３７】
次に本実施形態の作用として、まず輸入信用状の発行及び該輸入信用状に付帯された手形の決済に係る処理（業務）の流れについて説明する。本実施形態に係る特定金融機関は、顧客が特定金融機関に輸入信用状の発行を依頼するための帳票として輸入信用状発行依頼書を用意しており、輸入信用状の発行を所望している顧客は、輸入信用状発行依頼書に必要事項を記入し、記入が完了した輸入信用状発行依頼書を特定金融機関の窓口に持参して提出することで、特定金融機関に対して輸入信用状の発行を依頼する。
【００３８】
また、本実施形態では、顧客が特定金融機関に輸入信用状発行依頼書を提出することに代えて、ＥＢシステム１０を利用し、輸入信用状発行依頼書に相当する輸入信用状発行依頼情報をクライアントＰＣ１２からホスト・コンピュータ３０へ送信することで、輸入信用状の発行を特定金融機関へ依頼することも可能とされている。顧客から輸入信用状の発行を依頼された特定金融機関では、顧客からの依頼に基づき輸入信用状を発行する（図２のステップ１００も参照）。
【００３９】
また、輸入信用状の発行依頼元の顧客がクライアントＰＣ１２を所持している場合、特定金融機関では、輸入信用状の発行を完了した後に、例えばキーボード３８を介して所定の情報を入力する等により、輸入信用状の発行結果を顧客に通知するための発行結果通知情報を生成する（図２のステップ１０２も参照）。なお、特定金融機関は発行した輸入信用状に対し、個々の輸入信用状を識別するための信用状番号を付与する。前述の発行結果通知情報には、発行した輸入信用状の信用状番号等の情報が含まれている。そして、生成した発行結果通知情報を、ＨＤＤ５２に設けられた金融取引情報受信ファイル５４のうちの対応する受信ファイルに格納する（図２のステップ１０４も参照）。
【００４０】
一方、クライアント用ＥＢプログラムがインストールされたクライアントＰＣ１２の電源を操作者（顧客）が投入し、クライアント用ＥＢプログラムの実行を指示した後に、キーボード１８を介してユーザＩＤ及びパスワードを入力し、入力したユーザＩＤ及びパスワードが確認されると、クライアントＰＣ１２のディスプレイ１４に、例として図３に示すようなメインメニュー画面が表示される。このメインメニュー画面では、クライアントＰＣ１２がＥＢシステム１０を利用して実行可能な各種処理や関連する処理が「基本」「外為」「輸出入他」「システム」に大別されて示されている。
【００４１】
図３は「基本」に属する各種処理の名称が選択肢として表示されている状態が示されているが、この状態で、操作者がマウス１６等を操作しメインメニュー画面内に「輸出入他」と表記されたタブをクリックすると、例として図４にも示すように、「輸出入他」に属する各種処理の名称（「輸入信用状発行・変更」「輸入手形・船積書類情報」「輸出関連情報」「輸出手形取引明細」「為替予約明細」「利息手数料照会」「データ一括受信」及び「その他」）が選択肢として表示されることになる。
【００４２】
特定金融機関に対して輸入信用状の発行を依頼した顧客（操作者）は、「外国為替取引明細（非会計性）」の受信ファイルに格納された発行結果通知情報を受信するために、図４に示すように「輸出入他」に属する各種処理の名称がディスプレイ１４に表示されている状態で、「輸入信用状発行・変更」と表記されたボックス６０Ａをクリックする。これにより、例として図５に示すように、「輸入信用状発行・変更」に関連する各種の処理の名称（「信用状データ作成」「帳票作成」「信用状データ送信」「マスタ登録」及び「信用状結果通知」）が選択肢として表示されたメニュー画面がディスプレイ１４に表示される。
【００４３】
図５において、処理名称の右側に所定の図形が表示されている処理は、実行可能な処理の選択肢が更に複数存在することを表しており、図５では「輸入信用状発行・変更」に関する複数の処理の名称（「発行依頼入力」「ガイド付き入力」「信用状番号入力」「変更依頼入力」及び「送信ファイル作成」）が選択肢として一覧表示された状態が示されている。発行結果通知情報を受信する場合、操作者は、図５に示すように「輸入信用状発行・変更」に属する各種処理の名称がディスプレイ１４に表示されている状態で、「信用状結果通知」と表記されたボックス６０Ｃをクリックし、この操作に伴い、例として図６に示すように、「信用状結果通知」に関連する処理の名称（「データ受信」及び「結果照会表示」）が選択肢として表示されたメニュー画面がディスプレイ１４に表示された状態で、更に「データ受信」と表記されたボックス６０Ｇをクリックする。
【００４４】
クライアントＰＣ１２のＨＤＤ２０には、ホスト・コンピュータ３０にアクセスするための電話番号が予め登録されており、上記の操作が行われると登録されている電話番号を読み出し、通信制御装置２４を介して発呼を行う。そして、公衆電話網２８の通信回線を介してホスト・コンピュータ３０と接続されると、ホスト・コンピュータ３０に対し、「外国為替取引明細（非会計性）」の受信ファイルに格納されている情報を要請する所定の情報を送信する（図２の「該当受信ファイルアクセス」も参照）。
【００４５】
この所定の情報がホスト・コンピュータによって受信されることで、「外国為替取引明細（非会計性）」の受信ファイルに格納された発行結果通知情報がホスト・コンピュータ３０によって読み出され、要求元のクライアントＰＣ１２に送信される（図２の「発行結果通知情報送信」も参照）。そしてクライアントＰＣ１２は、受信した発行結果通知情報をＨＤＤ２０に記憶させる（図２のステップ１０６も参照）。なお、クライアントＰＣ１２による上記の処理は、請求項１に記載の第１ステップ及び請求項５に記載の第１受信手段に対応している。
【００４６】
また、特定金融機関が発行した輸入信用状に手形が付帯されている場合、輸出者が輸入信用状及び手形を輸出地の買取銀行に持込んで買取りを依頼し、買取銀行が輸入信用状及び手形の買取りを行うことで、特定金融機関（発行銀行）は買取銀行からの請求に基づき顧客（輸入者）の口座から所定の金額を引き落とす手形決済処理を行う（図２のステップ１０８も参照）。
【００４７】
また、輸入信用状の発行依頼元の顧客がクライアントＰＣ１２を所持している場合、特定金融機関では、手形決済処理を完了した後に、例えばキーボード３８を介して所定の情報を入力する等により、手形決済処理の結果を顧客に通知するための手形決済情報を生成する（図２のステップ１１０も参照）。なお、この手形決済情報には、決済を行った手形に対応する輸入信用状の信用状番号等の情報も付加されている。そして、生成した手形決済情報を、ＨＤＤ５２に設けられた金融取引情報受信ファイル５４のうちの対応する受信ファイルに格納する（図２のステップ１１２も参照）。
【００４８】
手形決済情報を受信する場合、操作者は、例えば図４に示すように「輸出入他」に属する各種処理の名称がディスプレイ１４に表示されている状態で、「データ一括受信」と表記されたボックス６０Ｂをクリックする。これにより、通信制御装置２４を介して発呼が行われ、ホスト・コンピュータ３０と接続されると、ホスト・コンピュータ３０に対し、契約している各受信ファイルに格納されている情報の送信が順次要請され（図２の「該当受信ファイルアクセス」も参照）、各受信ファイルに格納されている情報がホスト・コンピュータ３０によって順次読み出され、要求元のクライアントＰＣ１２に送信される。
【００４９】
上記処理に伴い「外国為替取引明細（会計性）」の受信ファイルに格納された手形決済情報も読み出されて送信され（図２の「手形決済情報送信」も参照）、クライアントＰＣ１２は、受信した手形決済情報をＨＤＤ２０に記憶させる（図２のステップ１１４も参照）。なお、クライアントＰＣ１２による上記の処理は、請求項１に記載の第２ステップ及び請求項５に記載の第２受信手段に対応している。
【００５０】
続いて、先に受信された発行結果通知情報の内容表示が操作者により指示された場合に実行される発行結果通知情報表示処理について、図７のフローチャートを参照して説明する。なお、発行結果通知情報表示処理は、図６に示すメニュー画面がディスプレイ１４に表示されている状態で、「結果照会表示」と表記されたボックス６０Ｈが操作者によってクリックされ、表示対象の発行結果通知情報が操作者によって選択されることで起動される。
【００５１】
ステップ１３０では、表示対象の発行結果通知情報に付加されている信用状番号をキーにして、ＨＤＤ２０に記憶されている手形決済情報のうち同一の信用状番号が付加されている手形決済情報を検索する（図２のステップ１１８も参照）。ステップ１３２では、表示対象の発行結果通知情報をＨＤＤ２０から読み出し、例として図８に示すように、読み出した発行結果通知情報の内容をディスプレイ１４に表示させる（図２のステップ１１６も参照）。また、次のステップ１３４では、ステップ１３０の検索により、表示対象の発行結果通知情報に対応する手形決済情報（発行結果通知情報に対応する輸入信用状に付帯された手形の手形決済情報）が抽出されたか否か判定する（図２のステップ１２０も参照）。
【００５２】
判定が否定された場合には何ら処理を行うことなくステップ１３８へ移行するが、判定が肯定された場合はステップ１３６において、「手形」と表記されたボックス６２Ａ（図８参照）を追加表示させ（図２のステップ１２２も参照）た後にステップ１３８へ移行する。このようにボックス６２Ａを追加表示させることで、操作者は、ディスプレイ１４に内容が表示されている発行結果通知情報に対応する手形決済情報が存在していることを容易に認識することができる。
【００５３】
次のステップ１３８では、発行結果通知情報の表示終了が指示されたか否か判定する。判定が否定された場合にはステップ１４０へ移行し、ボックス６２Ａがクリックされたか否か、すなわち、対応する手形決済情報の表示が指示されたか否か判定する。ステップ１４０の判定も否定された場合にはステップ１３８へ戻り、ステップ１３８，１４０を繰り返す。
【００５４】
ボックス６２Ａがクリックされるとステップ１４０の判定が肯定されてステップ１４２へ移行し、先のステップ１３０の検索によって抽出された手形決済情報（ディスプレイ１４に内容が表示されている発行結果通知情報に対応する手形決済情報）をＨＤＤ２０から読み出し、次のステップ１４４において、発行結果通知情報の表示よりも手前側に、例として図９に示すように、読み出した手形決済情報の内容をディスプレイ１４に表示させる（図２のステップ１２４も参照）。
【００５５】
このように、ディスプレイ１４に内容が表示されている発行結果通知情報に対応する手形決済情報が有ることを認識した操作者が手形決済情報の内容確認等を所望した場合、ボックス６２Ａをクリックすれば、対応する手形決済情報が表示されるので、発行結果通知情報と手形決済情報の照合等を容易に行うことができる。次のステップ１４６では、手形決済情報の表示終了が指示されたか否か判定し、判定が肯定される迄待機する。
【００５６】
操作者が「閉じる」と表記されたボックス６４Ａ（図９参照）をクリックすると、ステップ１４６の判定が肯定されてステップ１４８へ移行し、手形決済情報の表示を消去した後にステップ１３８に戻る。そして、顧客が「閉じる」と表記されたボックス６６Ａ（図８参照）をクリックするとステップ１３８の判定が肯定され、発行結果通知情報の表示を消去した後に処理を終了する。なお、上述した処理は請求項５に記載の第１表示制御手段に対応しており、詳しくは、ステップ１３０〜ステップ１３６は請求項１に記載の第３ステップに、ステップ１４０〜ステップ１４４は請求項１に記載の第４ステップに各々対応している。
【００５７】
次に、為替予約及び該為替予約の履行に係る処理（業務）の流れについて説明する。外貨預金（或いは後述する仕向送金や被仕向送金）等の外国為替取引を行う予定がある場合、顧客は、特定金融機関の窓口に出向いて所定の帳票を提出することで、特定金融機関に対して為替予約を依頼する（図１０に示す「為替予約依頼」も参照）。
【００５８】
この依頼が特定金融機関で受け付けされることで特定金融機関と顧客との間で為替予約が締結され、特定金融機関では、顧客との間で締結された為替予約を情報として登録する（図１０のステップ１６０も参照）。また、顧客がクライアントＰＣ１２を所持している場合、特定金融機関では、例えばキーボード３８を介して所定の情報を入力する等により、締結された為替予約の内容を顧客に通知するための為替予約情報を生成する（図１０のステップ１６２も参照）。
【００５９】
なお、特定金融機関では個々の為替予約を識別するための予約番号を個々の為替予約に付与しており、為替予約情報には対応する予約番号も付加されている。生成された為替予約情報は、金融取引情報受信ファイル５４のうちの対応する受信ファイルに格納される（図１０のステップ１６４も参照）。
【００６０】
上記の為替予約情報も、前述した発行結果通知情報や手形決済情報と同様に、操作者の指示に応じてホスト・コンピュータ３０へ所定の情報が送信され（図１０の「該当受信ファイルアクセス」も参照）、対応する受信ファイルに格納されている情報がホスト・コンピュータ３０によって読み出され、要求元のクライアントＰＣ１２へ送信される（図１０の「為替予約情報送信」も参照）ことでクライアントＰＣ１２に受信され、クライアントＰＣ１２では受信した為替予約情報をＨＤＤ２０に記憶させる（図１０のステップ１６６も参照）。なお、クライアントＰＣ１２による上記の処理は、請求項２に記載の第１ステップ及び請求項６に記載の第３受信手段に対応している。
【００６１】
また、先に締結された為替予約が特定金融機関で履行されると（図１０のステップ１６８も参照）、顧客がクライアントＰＣ１２を所持している場合、特定金融機関では、例えばキーボード３８を介して所定の情報を入力する等により、為替予約が履行された結果を顧客に通知するための為替予約履行情報を生成する（図１０のステップ１７０も参照）。なお、この為替予約履行情報にも、対応する為替予約の予約番号が付加されている。そして、生成された為替予約履行情報は、金融取引情報受信ファイル５４のうちの対応する受信ファイルに格納される（図１０のステップ１７２も参照）。
【００６２】
上記の為替予約履行情報も、発行結果通知情報や手形決済情報、為替予約情報と同様に、操作者の指示に応じてホスト・コンピュータ３０へ所定の情報が送信され（図１０の「該当受信ファイルアクセス」も参照）、対応する受信ファイルに格納されている情報がホスト・コンピュータ３０によって読み出され、要求元のクライアントＰＣ１２へ送信される（図１０の「為替予約履行情報送信」も参照）ことでクライアントＰＣ１２に受信され、クライアントＰＣ１２では受信した為替予約履行情報をＨＤＤ２０に記憶させる（図１０のステップ１７４も参照）。なお、クライアントＰＣ１２による上記の処理は、請求項２に記載の第２ステップ及び請求項６に記載の第４受信手段に対応している。
【００６３】
続いて、先に受信された為替予約履行情報の内容表示が操作者により指示された場合に実行される為替予約履行情報表示処理について、図１１のフローチャートを参照して説明する。
【００６４】
ステップ１９０では、表示対象の為替予約履行情報に付加されている予約番号をキーにして、ＨＤＤ２０に記憶されている為替予約情報のうち同一の予約番号が付加されている為替予約情報を検索する（図１０のステップ１７８も参照）。ステップ１９２では、表示対象の為替予約履行情報をＨＤＤ２０から読み出し、例として図１２に示すように、読み出した為替予約履行情報の内容をディスプレイ１４に表示させる（図１０のステップ１７６も参照）。また、次のステップ１９４では、ステップ１９０の検索により、表示対象の為替予約履行情報に対応する為替予約情報が抽出されたか否か判定する（図１０のステップ１８０も参照）。
【００６５】
判定が否定された場合には何ら処理を行うことなくステップ１９８へ移行するが、判定が肯定された場合はステップ１９６において、「締結」と表記されたボックス６２Ｂ（図１２参照）を追加表示させ（図１０のステップ１８２も参照）た後にステップ１９８へ移行する。このようにボックス６２Ｂを追加表示させることで、操作者は、ディスプレイ１４に内容が表示されている為替予約履行情報に対応する為替予約情報が存在していることを容易に認識することができる。
【００６６】
次のステップ１９８では、為替予約履行情報の表示終了が指示されたか否か判定する。判定が否定された場合にはステップ２００へ移行し、ボックス６２Ｂがクリックされたか否か、すなわち、対応する為替予約情報の表示が指示されたか否か判定する。ステップ２００の判定も否定された場合にはステップ１９８へ戻り、ステップ１９８，２００を繰り返す。
【００６７】
ボックス６２Ｂがクリックされるとステップ２００の判定が肯定されてステップ２０２へ移行し、先のステップ１９０の検索によって抽出された為替予約情報（ディスプレイ１４に内容が表示されている為替予約履行情報に対応する為替予約情報）をＨＤＤ２０から読み出し、次のステップ２０４において、為替予約履行情報の表示よりも手前側に、例として図１３に示すように、読み出した為替予約情報の内容をディスプレイ１４に表示させる（図１０のステップ１８４も参照）。
【００６８】
このように、ディスプレイ１４に内容が表示されている為替予約履行情報に対応する為替予約情報が有ることを認識した操作者が為替予約情報の内容確認等を所望した場合、ボックス６２Ｂをクリックすれば、対応する為替予約情報が表示されるので、為替予約履行情報と為替予約情報の照合等を容易に行うことができる。次のステップ２０６では、為替予約情報の表示終了が指示されたか否か判定し、判定が肯定される迄待機する。
【００６９】
操作者が「閉じる」と表記されたボックス６４Ｂ（図１３参照）をクリックすると、ステップ２０６の判定が肯定されてステップ２０８へ移行し、為替予約情報の表示を消去した後にステップ１９８に戻る。そして、顧客が「閉じる」と表記されたボックス６６Ｂ（図１２参照）をクリックするとステップ１９８の判定が肯定され、為替予約履行情報の表示を消去した後に処理を終了する。なお、上述した処理は請求項６に記載の第２表示制御手段に対応しており、詳しくは、ステップ１９０〜ステップ１９６は請求項２に記載の第３ステップに、ステップ２００〜ステップ２０４は請求項２に記載の第４ステップに各々対応している。
【００７０】
次に、為替予約が締結された後に仕向送金が依頼される際の処理（業務）の流れについて説明する。先に説明した為替予約は、仕向送金を行う予定がある場合にも為されることがある。この場合の為替予約締結のシーケンスは図１０のステップ１６０〜ステップ１６６と同様であるので、図１４の該当するステップに同一の符号を付して説明を省略し、以下では、特定金融機関に対して仕向送金を指示する情報を入力するための画面（仕向送金データ入力画面）の表示が操作者により指示された場合（図１４の「表示指示」も参照）に実行される仕向送金データ入力処理について、図１５のフローチャートを参照して説明する。
【００７１】
ステップ２４０では、仕向送金データ入力画面を表示するためのデータをＨＤＤ２０から読み出し、読み出したデータに基づいて、例として図１６に示すような仕向送金データ入力画面（特定金融機関に対して仕向送金を指示するための仕向送金指示データを構成する各種情報の入力欄が各々設けられた画面）をディスプレイ１４に表示させる（図１４のステップ２２０も参照）。次のステップ２４２では、処理終了が指示されたか否か判定する。判定が否定された場合にはステップ２４４へ移行し、操作者によって何らかのデータが入力されたか否か判定する。この判定が否定された場合はステップ２５６へ移行し、操作者によって為替予約情報の表示が指示されたか否か判定する。この判定も否定された場合にはステップ２４２に戻り、ステップ２４２，２４４，２５６の何れかの判定が肯定される迄、ステップ２４２，２４４，２５６を繰り返す。
【００７２】
操作者がキーボード１８を介し、仕向送金データ入力画面に設けられた何れかの入力欄にデータを入力すると、ステップ２４４の判定が肯定されてステップ２４６へ移行し、仕向送金データ入力画面のうちの対応する入力欄内に入力されたデータを表示させる。また、仕向送金データ入力画面には、締結済みの為替予約を適用して仕向送金を行う場合に適用する為替予約の予約番号を入力するための入力欄６８Ａが設けられており、次のステップ２４８では、入力されたデータが為替予約の予約番号か否か判定する（図１４のステップ２２２も参照）。
【００７３】
判定が否定された場合にはステップ２５６へ移行するが、判定が肯定された場合はステップ２５０において、入力された予約番号をキーにして、ＨＤＤ２０に記憶されている為替予約情報のうち入力された予約番号が付加されている為替予約情報を検索する（図１４のステップ２２４も参照）。また、次のステップ２５２では、ステップ２５０の検索により、入力された予約番号が付加された為替予約情報が抽出されたか否か判定する（図１４のステップ２２６も参照）。
【００７４】
判定が否定された場合には何ら処理を行うことなくステップ２５６へ移行するが、判定が肯定された場合はステップ２５４において、「予約」と表記されたボックス６２Ｃ（図１６参照）を追加表示させ（図１４のステップ２２８も参照）た後にステップ２５６へ移行する。このようにボックス６２Ｃを追加表示させることで、操作者は、入力した予約番号に対応する為替予約情報を、ボックス６２Ｃをクリックすることで表示させることが可能であることを容易に認識することができる。
【００７５】
そして、ボックス６２Ｃがクリックされるとステップ２５６の判定が肯定されてステップ２５８へ移行し、先のステップ２５０の検索によって抽出された為替予約情報（入力された予約番号が付加されている為替予約情報）をＨＤＤ２０から読み出し、次のステップ２６０において、為替予約履行情報の表示よりも手前側に、例として図１７に示すように、読み出した為替予約情報の内容をディスプレイ１４に表示させる（図１４のステップ２３０も参照）。
【００７６】
このように、ボックス６２Ｃが追加表示されたことを認識した操作者が為替予約情報の内容確認等を所望した場合、ボックス６２Ｃをクリックすれば、対応する為替予約情報が表示されるので、入力している情報と為替予約情報を照合したり、為替予約情報に基づいて情報を入力することを容易に行うことができる。次のステップ２６２では、為替予約情報の表示終了が指示されたか否か判定し、判定が肯定される迄待機する。
【００７７】
操作者が「閉じる」と表記されたボックス６４Ｃ（図１７参照）をクリックすると、ステップ２６２の判定が肯定されてステップ２６４へ移行し、為替予約情報の表示を消去した後にステップ２４２に戻る。そして、顧客が「閉じる」と表記されたボックス６６Ｃ（図１６参照）をクリックするとステップ２４２の判定が肯定されてステップ２６６へ移行し、操作者によって入力されたデータを仕向送金指示データとしてＨＤＤ２０に記憶させると共に、仕向送金データ入力画面の表示を消去した後に処理を終了する。
【００７８】
なお、上述した処理は請求項７に記載の第３表示制御手段に対応しており、詳しくは、ステップ２４８〜ステップ２５４は請求項３に記載の第３ステップに、ステップ２５６〜ステップ２６０は請求項２に記載の第４ステップに各々対応している。
【００７９】
続いて、為替予約が締結された後に被仕向送金が到着した際の処理（業務）の流れについて説明する。先に説明した為替予約は、被仕向送金が到着する予定がある場合にも為されることがある。この場合の為替予約締結のシーケンスも図１０のステップ１６０〜ステップ１６６と同様であるので、図１８の該当するステップに同一の符号を付して説明を省略する。
【００８０】
海外にいる送金者が特定金融機関の特定の顧客への送金を他の金融機関に依頼し、ホスト・コンピュータ３０が他の金融機関から、被仕向送金が有ったことを表す被仕向送金通知（図１８も参照）を受信すると、特定金融機関では、被仕向送金が有ったことを特定の顧客に案内するための被仕向送金到着案内情報を生成し（図１８のステップ２７０も参照）、金融取引情報受信ファイル５４のうちの対応する受信ファイルに格納する（図１８のステップ２７２も参照）。
【００８１】
被仕向送金到着案内情報についても、発行結果通知情報や手形決済情報、為替予約情報、為替予約履行情報と同様に、操作者の指示に応じてホスト・コンピュータ３０へ所定の情報が送信され（図１８の「該当受信ファイルアクセス」も参照）、対応する受信ファイルに格納されている情報がホスト・コンピュータ３０によって読み出され、要求元のクライアントＰＣ１２へ送信される（図１８の「被仕向送金到着案内情報送信」も参照）ことでクライアントＰＣ１２に受信され、クライアントＰＣ１２では受信した被仕向送金到着案内情報をＨＤＤ２０に記憶させる（図１８のステップ２７４も参照）。
【００８２】
被仕向送金到着案内情報の内容を確認し、被仕向送金が有ったことを認識した顧客は、特定金融機関に対し、被仕向送金に基づく入金処理を電話等により指示する（図１８の「入金処理指示」も参照）。なお、この入金処理に際して先に締結した為替予約を適用する場合には、顧客から特定金融機関に対して適用する為替予約の予約番号が伝達される。これにより、特定金融機関では顧客からの指示に従い、被仕向送金に基づく入金処理を実施する（図１８のステップ２７６も参照）。
【００８３】
被仕向送金に基づく入金処理が完了すると、特定金融機関は、顧客に対して入金処理の完了を報告するための被仕向送金明細情報を生成する（図１８のステップ２７８も参照）。また、顧客の指示に基づき特定の為替予約を適用して入金処理を行った場合には、適用した為替予約の予約番号を被仕向送金明細情報に付加する。そして、生成した被仕向送金明細情報を、ＨＤＤ５２に設けられた金融取引情報受信ファイル５４のうちの対応する受信ファイルに格納する（図１８のステップ２８０も参照）。
【００８４】
被仕向送金明細情報についても、操作者の指示に応じてホスト・コンピュータ３０へ所定の情報が送信され（図１８の「該当受信ファイルアクセス」も参照）、対応する受信ファイルに格納されている情報がホスト・コンピュータ３０によって読み出され、要求元のクライアントＰＣ１２へ送信される（図１８の「被仕向送金明細情報送信」も参照）ことでクライアントＰＣ１２に受信され、クライアントＰＣ１２では受信した被仕向送金明細情報をＨＤＤ２０に記憶させる（図１８のステップ２８２も参照）。なお、クライアントＰＣ１２による上記の処理は、請求項４に記載の第２ステップ及び請求項５に記載の第５受信手段に対応している。
【００８５】
そして、被仕向送金明細情報の受信を認識した操作者により、表示対象の被仕向送金明細情報が指定されて被仕向送金明細情報の内容表示が指示されると、図１９に示す被仕向送金明細情報表示処理が実行される。以下、この被仕向送金明細情報表示処理について説明する。
【００８６】
ステップ３００では、表示対象の被仕向送金明細情報に付加されている予約番号をキーにして、ＨＤＤ２０に記憶されている為替予約情報のうち同一の予約番号が付加されている為替予約情報を検索する（図１８のステップ２８６も参照）。ステップ３０２では、表示対象の被仕向送金明細情報をＨＤＤ２０から読み出し、例として図２０に示すように、読み出した被仕向送金明細情報の内容をディスプレイ１４に表示させる（図１８のステップ２８４も参照）。また、次のステップ３０４では、ステップ３００の検索により、表示対象の被仕向送金明細情報に対応する為替予約情報が抽出されたか否か判定する（図１８のステップ２８８も参照）。
【００８７】
判定が否定された場合には何ら処理を行うことなくステップ３０８へ移行するが、判定が肯定された場合はステップ３０６において、「予約」と表記されたボックス６２Ｄ（図２０参照）を追加表示させ（図１８のステップ２９０も参照）た後にステップ３０８へ移行する。このようにボックス６２Ｄを追加表示させることで、操作者は、ボックス６２Ｄをクリックすることで対応する為替予約情報を表示させることが可能であることを容易に認識することができる。
【００８８】
次のステップ３０８では、被仕向送金明細情報の表示終了が指示されたか否か判定する。判定が否定された場合にはステップ３１０へ移行し、ボックス６２Ｄがクリックされたか否か、すなわち、対応する為替予約情報の表示が指示されたか否か判定する。ステップ３１０の判定も否定された場合にはステップ３０８へ戻り、ステップ３０８，３１０を繰り返す。
【００８９】
ボックス６２Ｄがクリックされるとステップ３１０の判定が肯定されてステップ３１２へ移行し、先のステップ３００の検索によって抽出された為替予約情報（ディスプレイ１４に内容が表示されている被仕向送金明細情報の入金処理時に適用した為替予約に対応する為替予約情報）をＨＤＤ２０から読み出し、次のステップ３１４において、被仕向送金明細情報の表示よりも手前側に、例として図２１に示すように、読み出した為替予約情報の内容をディスプレイ１４に表示させる（図１８のステップ２９２も参照）。
【００９０】
このように、ディスプレイ１４に内容が表示されている被仕向送金明細情報に対応する為替予約情報を表示可能であることを認識した操作者が為替予約情報の内容確認等を所望した場合、ボックス６２Ｄをクリックすれば、対応する為替予約情報が表示されるので、被仕向送金明細情報と為替予約情報の照合等を容易に行うことができる。次のステップ３１６では、為替予約情報の表示終了が指示されたか否か判定し、判定が肯定される迄待機する。
【００９１】
操作者が「閉じる」と表記されたボックス６４Ｄ（図２１参照）をクリックすると、ステップ３１６の判定が肯定されてステップ３１８へ移行し、為替予約情報の表示を消去した後にステップ３０８に戻る。そして、顧客が「閉じる」と表記されたボックス６６Ｄ（図２０参照）をクリックするとステップ３０８の判定が肯定され、被仕向送金明細情報の表示を消去した後に処理を終了する。なお、上述した処理は請求項８に記載の第４表示制御手段に対応しており、詳しくは、ステップ３００〜ステップ３０６は請求項４に記載の第３ステップに、ステップ３１０〜ステップ３１４は請求項４に記載の第４ステップに各々対応している。
【００９２】
なお、上記では請求項１，２，４に記載のの第３ステップ、請求項３に記載の第２ステップに係る通知を、文字が表記されたボックス６２Ａ〜６２Ｄを追加表示させることで行う例を説明したが、これに限定されるものではなく、所定の図形（例えばアイコン等）をディスプレイ１４に表示させたり、或いは音声等により通知するようにしてもよい。
【００９３】
また、上記では本発明に係るプログラム（クライアント用ＥＢプログラム）が当初はＣＤ−ＲＯＭ２６に記録されており、セットアッププログラムの実行が指示されることでＣＤ−ＲＯＭ２６から順に読み出されてインストールされる態様を説明したが、これに限定されるものではなく、本発明に係るプログラムを、当初は公衆電話回線やコンピュータネットワーク（例えばＬＡＮ、インターネット、無線通信ネットワーク等）システムの通信回線を介してクライアントＰＣ１２と接続される他の情報処理機器（例えばネットワークサーバ）の記憶装置に記憶しておき、クライアントＰＣ１２が前記情報処理機器と通信することで、前記情報処理機器から前記通信回線を介して前記プログラムがクライアントＰＣ１２へ伝送され、伝送されたプログラムをクライアントＰＣ１２がＨＤＤ２０等の記憶手段にインストールするようにしてもよい。
【００９４】
【発明の効果】
以上説明したように請求項１及び請求項５記載の発明は、輸入信用状の発行結果を表し識別情報が付加された発行結果通知情報を受信して記憶手段に記憶させ、手形の決済結果を表しかつ対応する輸入信用状の識別情報が付加された手形決済情報を受信して記憶手段に記憶させ、指示に応じて特定の発行結果通知情報の内容を表示手段に表示させると共に、同一の識別情報が付加されている手形決済情報を検索し、該当する情報が存在していた場合に通知し、該当する情報の表示が指示された場合に表示手段に表示させるので、金融取引に関する複数種の情報を各々参照するための顧客の負担を軽減できる、という優れた効果を有する。
【００９５】
請求項２及び請求項６記載の発明は、為替予約の内容を表し識別情報が付加された為替予約情報を受信して記憶手段に記憶させ、為替予約の履行結果を表し対応する為替予約の識別情報が付加された為替予約履行情報を受信して記憶手段に記憶させ、指示に応じて特定の為替予約履行情報の内容を表示手段に表示させると共に、同一の識別情報が付加されている為替予約情報を検索し、該当する情報が存在していた場合に通知し、該当する情報の表示が指示された場合に表示手段に表示させるので、金融取引に関する複数種の情報を各々参照するための顧客の負担を軽減できる、という優れた効果を有する。
【００９６】
請求項３及び請求項７記載の発明は、為替予約の内容を表し識別情報が付加された為替予約情報を受信して記憶手段に記憶させ、仕向送金指示情報を入力するための入力画面を表示手段に表示している状態で、為替予約の識別情報が入力された場合に、入力された識別情報が付加されている為替予約情報を検索し、該当する情報が存在していた場合に通知し、該当する情報の表示が顧客から指示された場合に表示手段に表示させるので、金融取引に関する複数種の情報を各々参照するための顧客の負担を軽減できる、という優れた効果を有する。
【００９７】
請求項４及び請求項８記載の発明は、為替予約の内容を表し識別情報が付加された為替予約情報を受信して記憶手段に記憶させ、被仕向送金入金処理の明細を表し識別情報が付加された被仕向送金明細情報を受信して記憶手段に記憶させ、指示に応じて特定の被仕向送金明細情報の内容を表示手段に表示させると共に、同一の識別情報が付加されている為替予約情報を検索し、該当する情報が存在していた場合に通知し、該当する情報の表示が顧客から指示された場合に表示手段に表示させるので、金融取引に関する複数種の情報を各々参照するための顧客の負担を軽減できる、という優れた効果を有する。
【図面の簡単な説明】
【図１】本実施形態に係るＥＢシステムの概略構成を示すブロック図である。
【図２】輸入信用状の発行及び輸入信用状に付帯された手形の決済に係る処理（業務）の流れの一例を示すシーケンス図である。
【図３】メインメニュー画面（「基本」に属する各種処理が選択肢として示されている状態）の一例を示すイメージ図である。
【図４】メインメニュー画面（「輸出入他」に属する各種処理が選択肢として示されている状態）の一例を示すイメージ図である。
【図５】「輸入信用状発行・変更」のメニュー画面の一例を示すイメージ図である。
【図６】「信用状結果通知」のメニュー画面の一例を示すイメージ図である。
【図７】発行結果通知情報表示処理の内容を示すフローチャートである。
【図８】発行結果通知表示画面の一例を示すイメージ図である。
【図９】手形決済表示画面の一例を示すイメージ図である。
【図１０】為替予約及び該為替予約の履行に係る処理（業務）の流れの一例を示すシーケンス図である。
【図１１】為替予約履行情報表示処理の内容を示すフローチャートである。
【図１２】為替予約履行表示画面の一例を示すイメージ図である。
【図１３】為替予約表示画面の一例を示すイメージ図である。
【図１４】為替予約及び仕向送金指示に係る処理（業務）の流れの一例を示すシーケンス図である。
【図１５】仕向送金データ入力処理の内容を示すフローチャートである。
【図１６】仕向送金データ入力画面の一例を示すイメージ図である。
【図１７】為替予約表示画面の一例を示すイメージ図である。
【図１８】為替予約及び被仕向送金の入金に係る処理（業務）の流れの一例を示すシーケンス図である。
【図１９】被仕向送金明細情報表示処理の内容を示すフローチャートである。
【図２０】被仕向送金明細表示画面の一例を示すイメージ図である。
【図２１】為替予約表示画面の一例を示すイメージ図である。
【符号の説明】
１０　　ＥＢシステム
１２　　クライアントＰＣ
１４　　ディスプレイ
２０　　ＨＤＤ
３０　　ホスト・コンピュータ
【図１】
2004021488.tif 000004
【図２】
2004021488.tif 000005
【図３】
2004021488.tif 000006
【図４】
2004021488.tif 000007
【図５】
2004021488.tif 000008
【図６】
2004021488.tif 000009
【図７】
2004021488.tif 000010
【図８】
2004021488.tif 000011
【図９】
2004021488.tif 000012
【図１０】
2004021488.tif 000013
【図１１】
2004021488.tif 000014
【図１２】
2004021488.tif 000015
【図１３】
2004021488.tif 000016
【図１４】
2004021488.tif 000017
【図１５】
2004021488.tif 000018
【図１６】
2004021488.tif 000019
【図１７】
2004021488.tif 000020
【図１８】
2004021488.tif 000021
【図１９】
2004021488.tif 000022
【図２０】
2004021488.tif 000023
【図２１】
2004021488.tif 000024